(57)【要約】【課題】塩基導入量が多く、アルデヒド類やケトン類の求核付加反応に対して、繰り返し耐久性に優れた触媒として機能する有機ポリマーゲルを提供する。【解決手段】アミノ基を２つ以上有し、且つビニル基を２つ以上有する重合性化合物（ａ）を含む重合性組成物（Ａ）の重合体が形成する三次元網目中に液体を包含するゲルであって、該重合性化合物（ａ）が、反応性官能基として少なくともアミノ基を有するデンドリマー、又は反応性官能基として少なくともアミノ基を有するポリエチレンイミンと、該反応性官能基と反応可能な基と、ビニル基とを有する化合物、とを反応して得た化合物であり、該反応性官能基が、１級アミノ基、２級アミノ基、水酸基又はカルボキシ基であり、該反応性官能基と反応可能な基が、イソシアナト基、エポキシ基、１級アミノ基、２級アミノ基、水酸基、カルボキシ基又はハロゲン化アシル基である有機ポリマーゲル。【選択図】なし【特許請求の範囲】
【請求項１】
アミノ基及びビニル基を有する重合性化合物（ａ）を含む重合性組成物（Ａ）の重合体（ＰＡ）が形成する三次元網目中に液体（Ｍ）を包含する有機ポリマーゲルであって、
該重合性化合物（ａ）が、
（１）３級アミノ基及び反応性官能基（Ｑ１）を有するデンドリマー（ａ１）、又は反応性官能基（Ｑ１）を有するポリエチレンイミン（ａ２）と、
（２）該反応性官能基（Ｑ１）と反応可能な反応性官能基（Ｑ２）と、ビニル基とを有する化合物（ａ３）と、
を反応して得た化合物であることを特徴とする有機ポリマーゲル。
【請求項２】
前記反応性官能基（Ｑ１）が、１級アミノ基、２級アミノ基、水酸基又はカルボキシ基であり、前記反応性官能基（Ｑ２）が、イソシアナト基、エポキシ基、１級アミノ基、２級アミノ基、水酸基、カルボキシ基又はハロゲン化アシル基である請求項１記載の有機ポリマーゲル。
【請求項３】
前記デンドリマー（ａ１）が、
式（１）
【化１】
2010070752.tif 000011
（式（１）中、ｘは１〜１０の整数である。）
又は式（２）
【化２】
2010070752.tif 000012
（式（２）中、ｙは１〜１０の整数である。）
で表される構造を繰り返し単位とする請求項１又は２記載の有機ポリマーゲル。
【請求項４】
前記重合体（ＰＡ）中のアミノ基含有量が０．０１０ｍｍｏｌ／ｇ〜９．００ｍｍｏｌ／ｇの範囲にある請求項１〜３のいずれかに記載の有機ポリマーゲル。
【請求項５】
請求項１〜４のいずれか１つに記載の有機ポリマーゲルを用いたことを特徴とする触媒。
【請求項６】
アルデヒド類またはケトン類の求核付加反応において使用する請求項５記載の触媒。
【請求項７】
アミノ基及びビニル基を有する重合性化合物（ａ）を含む重合性組成物（Ａ）と、該重合性組成物（Ａ）と相溶し、且つ、該重合性組成物（Ａ）の重合体（ＰＡ）を膨潤させる液体（Ｍ）とを混合した有機ポリマーゲル形成用組成物（Ｘ）を重合させることを特徴とする請求項１〜４のいずれかに記載の有機ポリマーゲルの製造方法。
【発明の詳細な説明】
【技術分野】
【０００１】
本発明は、有機ポリマーが形成する三次元網目中に液体を包含する有機ポリマーゲルに関し、特に、繰り返し使用可能な不溶性固体触媒として機能することが可能な有機ポリマーゲル、及びその製造方法に関する。
【背景技術】
【０００２】
塩基触媒によるアルデヒド類やケトン類の求核付加反応は、炭素−炭素結合生成反応として、今日の有機合成において最も重要な触媒反応の１つであると認識されている。アミノ基等の塩基性官能基を固定化した固体触媒を用いた不均一反応系は、反応後触媒を溶液から分離、回収することが容易であるため、繰り返しの使用に有利であり、多くの検討がなされている。
【０００３】
一般に、アルデヒド類やケトン類は、プロトン酸、ルイス酸や水素結合性プロトンドナーの作用により、それらに含まれるカルボニル単位の酸素上の電子密度が減じられ、求核付加反応に対する活性が向上することが知られている。実際に、非特許文献１において、アミノ基（塩基）を有するシラン化合物、および、ウレア結合（水素結合性プロトンドナー）を有するシラン化合物を同時に表面に導入したシリカゲルが、アルデヒド類のアルドール反応等の求核付加反応に対して、活性の高い固体触媒として機能することが示されている。
【０００４】
ポリ（アミドアミン）デンドリマーやポリ（プロピレンイミン）デンドリマーに代表されるアミノ基を有するデンドリマーや、分岐状または直鎖状ポリエチレンイミンは、アミノ基を含有する有機ポリマーであり、１分子中に複数のアミノ基を高密度に配置することができる有用な分子である。不溶性担体に固定化したアミノ基を有するデンドリマーやポリエチレンイミンは公知であり、例えば、特許文献１および２では、硬化塗膜の物性調節剤や、金属粒子生成のための安定化捕捉剤として応用した例が示されている。また、特許文献３では、直鎖状ポリエチレンイミン骨格を有するポリマーの形成するヒドロゲルを、金属粒子生成のための担体として用いた例が開示されている。しかしながら、これらを塩基触媒として利用し、アルデヒド類やケトン類の求核付加反応に用いた例は見あたらない。
【先行技術文献】
【特許文献】
【０００５】
【特許文献１】特開2000-63513号公報
【特許文献２】WO2004/110930号公報
【特許文献３】特開2006-22367号公報
【非特許文献】
【０００６】
【非特許文献１】S. Huh et al., Angew. Chem. Int. Ed., 2005, 44, 1826-1830.
【発明の概要】
【発明が解決しようとする課題】
【０００７】
本発明が解決しようとする課題は、塩基導入量が多い有機ポリマーゲル、及び、その製造方法を提供することにある。また、本発明の他の課題は、アルデヒド類やケトン類の求核付加反応に対して、繰り返し耐久性に優れた触媒として機能する有機ポリマーゲル、及び、その製造方法を提供することにある。
【課題を解決するための手段】
【０００８】
本発明者らは種々検討した結果、アミノ基を２つ以上有し、且つビニル基を２つ以上有する重合性化合物を含む重合性組成物の重合体により得られる有機ポリマーゲルが上記課題を解決できることを見出し、本発明を完成させた。
【０００９】
即ち、本発明は、アミノ基及びビニル基を有する重合性化合物（ａ）を含む重合性組成物（Ａ）の重合体（ＰＡ）が形成する三次元網目中に液体（Ｍ）を包含する有機ポリマーゲルであって、
該重合性化合物（ａ）が、
（１）３級アミノ基及び反応性官能基（Ｑ１）を有するデンドリマー（ａ１）、又は反応性官能基（Ｑ１）を有するポリエチレンイミン（ａ２）と、
（２）該反応性官能基（Ｑ１）と反応可能な反応性官能基（Ｑ２）と、ビニル基とを有する化合物（ａ３）と、
を反応して得た化合物であることを特徴とする有機ポリマーゲルを提供するものである。
【００１０】
また、本発明は、上記の有機ポリマーゲルを用いたことを特徴とする触媒を提供するものである。
【００１１】
また、本発明は、アミノ基及びビニル基を有する重合性化合物（ａ）を含む重合性組成物（Ａ）と、該重合性組成物（Ａ）と相溶し、且つ、該重合性組成物（Ａ）の重合体（ＰＡ）を膨潤させる液体（Ｍ）とを混合した有機ポリマーゲル形成用組成物（Ｘ）を重合させることを特徴とする上記の有機ポリマーゲルの製造方法を提供するものである。
【発明の効果】
【００１２】
本発明は、デンドリマー（ａ１）、又はポリエチレンイミン（ａ２）と、これらが有する反応性官能基と反応可能なビニル基を有する化合物（ａ３）とを反応して得た重合性化合物（ａ）を用いるため、アミノ基導入量の多い有機ポリマーゲルを提供できる。また、デンドリマー（ａ１）またはポリエチレンイミン（ａ２）は、１分子中に複数のアミノ基を高密度に配置することができるため、誘導体化により、アミノ基の近傍に酸性基や水素結合性プロトンドナー基を導入することも容易であり、アルデヒド類やケトン類の求核付加反応に対し、触媒活性の高い有機ポリマーゲルを提供できる。
【発明を実施するための形態】
【００１３】
本発明の有機ポリマーゲルは、アミノ基及びビニル基を有する重合性化合物（ａ）の重合体（ＰＡ）により形成された有機ポリマーゲルであって、前記重合性化合物（ａ）が、３級アミノ基及び反応性官能基（Ｑ１）を有するデンドリマー（ａ１）、又は反応性官能基（Ｑ１）を有するポリエチレンイミン（ａ２）と、該反応性官能基（Ｑ１）と反応可能な反応性官能基（Ｑ２）と、ビニル基とを有する化合物（ａ３）とを反応して得た化合物であることを特徴とする有機ポリマーゲルである。
デンドリマーとは樹状分岐状の分子であり、分岐の中心であるコアより規則的に逐次分岐された、単分散の分子量を有する分子の総称である。本発明に用いるデンドリマー（ａ１）は、３級アミノ基及び反応性官能基（Ｑ１）を有し、且つ、前記定義のデンドリマーに含まれる分子であれば、特に限定はない。例えば、G. R. Newkome, C. N. Moorefield, F. Vogtle著「Dendrimers and Dendrons: Concepts, Syntheses, Applications」（２００１年、Wiley-VCH発行）、J. M. J. Frechet, D. A. Tomalia著「Dendrimers and Other Dendritic Polymers (Wiley Series in Polymer Science)」（２００２年、John Wiley & Sons発行）などの文献に記載のデンドリマーを基本構造とする化合物が用いられる。ただし、式（１）で表されるアミドアミン構造、または、式（２）で表されるプロピレンイミン構造を繰り返し単位とするデンドリマーが、好ましく用いられる。
【００１４】
【化１】
2010070752.tif 000002
（式（１）中、ｘは１〜１０の整数である。）
【００１５】
【化２】
2010070752.tif 000003
（式（２）中、ｙは１〜１０の整数である。）
前記デンドリマーは、アルドリッチ社試薬カタログに記載のデンドリマーなど、試薬として市販されているものを用いることができる。また、適宜、目的に応じて、合成して用いることができる。
【００１６】
試薬として市販されているものとしては、例えば、式（３）で表されるアルドリッチ社製ポリアミドアミン（ＰＡＭＡＭ）デンドリマーのエチレンジアミンコア第３世代（製品コード４１２４２２）、式（４）で表される第４世代（製品コード４１２４４９）、式（５）で表される１，６−ジアミノヘキサンコア第４世代（製品コード５９６９６５）、式（６）で表されるシスタミンコア第４世代（製品コード６４８０４３）、式（７）で表される水酸基末端を有するエチレンジアミンコア第４世代（製品コード４７７８５０）、式（８）で表されるカルボン酸末端を有するエチレンジアミンコア第３．５世代のナトリウム塩（製品コード４１２４３０）、式（９）で表されるポリプロピレンイミンデンドリマー第１世代（製品コード４６０６９９）等がある。
【００１７】
【化３】
2010070752.tif 000004
【００１８】
【化４】
2010070752.tif 000005
【００１９】
【化５】
2010070752.tif 000006
【００２０】
【化６】
2010070752.tif 000007
【００２１】
【化７】
2010070752.tif 000008
【００２２】
【化８】
2010070752.tif 000009
【００２３】
【化９】
2010070752.tif 000010
【００２４】
式（１）で表されるアミドアミン構造のデンドリマーの合成方法に特に制限はないが、例えば、特開平７−２６７８７９号公報、および、特開平１１−１４０１８０号公報に記載の方法を用いることができる。まず、コアとなる１級アミノ基を有する化合物に対し、そのアミノ基に２当量のメチルアクリレートを作用させ、マイケル付加反応により、窒素分岐部を有し、且つ、メチルエステル部位を有する化合物へと変換する。次に、メチルエステル部位に対し、１級アミノ基を有するジアミン化合物の一方を反応させてアミド結合を生成し、他方の１級アミノ基を末端に残す。その後、これらのマイケル付加反応とアミド結合生成反応を交互に、任意の回数行うことにより、アミドアミン構造のデンドリマーを合成することができる。
【００２５】
式（２）で表されるプロピレンイミン構造のデンドリマーの合成方法に特に制限はないが、例えば、ＷＯ−Ａ９３／１４１４７号公報、および、ＷＯ−Ａ９５／２００８号公報に記載の方法を用いることができる。まず、コアとなる１級アミノ基を有する化合物に対し、アクリロニトリルを作用させてシアノエチル化する。次に、ニトリル基を触媒の存在下、水素またはアンモニアを用いて１級アミノ基に還元する。その後、これらのシアノエチル化反応とニトリル基の還元反応を交互に、任意の回数行うことにより、プロピレンイミン構造のデンドリマーを合成することができる。
【００２６】
デンドリマーのコア構造は、特に限定はないが、アンモニア、エチレンジアミン、１，４−ジアミノブタン、１，６−ジアミノヘキサン、１，１２−ジアミノドデカン、シスタミンの残基を利用したコア構造が好ましい。
【００２７】
デンドリマーの末端に結合する反応性官能基（Ｑ１）は、末端に結合していることが好ましい。そして、後述するビニル基を有する化合物（ａ３）に含まれる反応性官能基（Ｑ２）と反応して、アミノ基及びビニル基を有する重合性化合物（ａ）を与えることができれば特に制限はない。アミノ基であれば１級または２級のアミノ基であることが好ましく、アミノ基以外の反応性官能基であれば水酸基、または、カルボキシ基であることが好ましい。中でも、化学反応性の高さ、および、反応の多様性より、１級または２級のアミノ基が特に好ましい。
【００２８】
デンドリマーの分子量は３００以上が好ましく、特に、１０００〜１０万が好ましい。本発明の有機ポリマーゲルを触媒として用いる際、前記分子量が３００以下であると、デンドリマー内部の空間を利用するのに不利である。
【００２９】
本発明の有機ポリマーゲルの調製に用いられるポリエチレンイミン（ａ２）は、直鎖状であっても、分岐状であってもよい。前記ポリエチレンイミン（ａ２）は、試薬として市販されているものを用いることができる。また、適宜、目的に応じて、市販されているポリエチレンイミン（ａ２）の末端基を変換して用いることもできるし、また、ポリエチレンイミン（ａ２）を合成して用いることができる。ポリエチレンイミン（ａ２）の合成方法に特に制限はないが、例えば、オキサゾリン類のカチオン重合により得たアミド結合を繰り返し単位に有するポリマーを、加水分解して得ることができる。
【００３０】
ポリエチレンイミン（ａ２）の反応性官能基（Ｑ１）は、末端に結合していることが好ましい。そして、後述するビニル基を有する化合物（ａ３）に含まれる反応性官能基（Ｑ２）と反応して、アミノ基及びビニル基を有する重合性化合物（ａ）を与えることができれば特に制限はない。アミノ基であれば１級または２級のアミノ基であることが好ましく、アミノ基以外の反応性官能基であれば、水酸基、または、カルボキシ基であることが好ましい。中でも、化学反応性の高さ、および、反応の多様性より、１級または２級のアミノ基が特に好ましい。
【００３１】
ポリエチレンイミン（ａ２）の重量平均分子量は２００以上が好ましく、特に、１０００〜１０万が好ましい。本発明の有機ポリマーゲルを触媒として用いる際、前記重量平均分子量が２００以下であると、ポリマー内でポリエチレンイミン（ａ２）が形成する空間が小さくなり、触媒反応を行うのに不利である。
【００３２】
３級アミノ基含有デンドリマー（ａ１）またはポリエチレンイミン（ａ２）が有する反応性官能基（Ｑ１）と反応可能な反応性官能基（Ｑ２）とビニル基とを有する化合物（ａ３）としては、デンドリマー（ａ１）またはポリエチレンイミン（ａ２）と反応して、アミノ基及びビニル基を有する重合性化合物（ａ）を与えることができれば、ラジカル重合性、アニオン重合性、またはカチオン重合性等、任意の化合物であって良い。ただし、この中で、ラジカル重合性を有する化合物が好ましく用いられ、重合性基としては、（メタ）アクリロキシ基、または、スチリル基が好ましく選択される。
【００３３】
また、本発明に用いられる前記反応性官能基（Ｑ２）とビニル基とを有する化合物（ａ３）としては、イソシアナト基、エポキシ基、１級または２級アミノ基、水酸基、カルボキシ基、またはカルボン酸塩化物単位を有する化合物が挙げられる。中でも、１級または２級のアミノ基を反応性官能基（Ｑ１）として有するアミノ基を有するデンドリマー（ａ１）またはポリエチレンイミン（ａ２）と反応させる場合、イソシアナト基を有する化合物（ａ３）は、反応によりウレア結合を生成することができるため、好ましく用いられる。ウレア結合は、水素結合性プロトンドナーとしての作用により、アルデヒド類またはケトン類の求核付加反応において、補助触媒として反応性を高めることができる。
【００３４】
そのような化合物（ａ３）を例示すると、２−（メタ）アクリロイルオキシエチルイソシアネート、２−（２−（メタ）アクリロイルオキシエチルオキシ）エチルイソシアネート、１，１−ビス（（メタ）アクリロイルオキシメチル）エチルイソシアネート、４’−ビニルフェニルイソシアネートの如きイソシアナト基を有する化合物、グリシジル（メタ）アクリレートの如きエポキシ基を有する化合物、３−アミノプロピル（メタ）アクリルアミド、２−アミノエチル（メタ）アクリレート、４−ビニルアニリンの如きアミノ基を有する化合物、２−ヒドロキシエチル（メタ）アクリレート、２−ヒドロキシプロピル（メタ）アクリレート、４−ビニルフェノールの如き水酸基を有する化合物、２−（メタ）アクリロイルオキシエチルコハク酸、（メタ）アクリル酸、４−ビニル安息香酸の如きカルボキシ基を有する化合物、及び、（メタ）アクリル酸塩化物、４−ビニル安息香酸塩化物の如き酸塩化物等が挙げられる。これらの（メタ）アクリレートは、単独又は２種以上を組み合わせて用いることもできる。
【００３５】
デンドリマー（ａ１）またはポリエチレンイミン（ａ２）と、前記化合物（ａ３）との反応は、例えば、反応に用いる化合物両者を溶剤に溶解し、混合、接触させることにより行うことができる。必要に応じて、触媒を用いることができる。無触媒で反応を行う場合は、反応生成物を溶剤から単離せずに、そのまま後続の有機ポリマーゲルの調製に用いることができる。触媒を用いて前記反応を行った場合は、反応生成物を精製、単離した後、有機ポリマーゲルの調製に用いる。
【００３６】
前記反応において、得られる重合性化合物（ａ）が、アミノ基及びビニル基を有していれば、任意の割合において、デンドリマー（ａ１）またはポリエチレンイミン（ａ２）に含まれる反応性官能基（Ｑ１）と、ビニル基を有する化合物（ａ３）に含まれる反応性官能基（Ｑ２）を、反応溶液中に仕込むことができる。ただし、有機ポリマーゲルをアルデヒド類またはケトン類の求核付加反応において触媒として使用する場合、塩基として作用するアミノ基が少ないと効果が小さくなるため、重合性化合物（ａ）１分子中にアミノ基を２個以上有することが好ましく、４個以上有することがより好ましく、８個以上有することが特に好ましい。また、重合性化合物（ａ）１分子中にビニル基を多く有すると、重合性組成物（Ａ）中に添加する共重合成分の量を減じることができ、これにより、有機ポリマーゲル中の相対的アミノ基含有量を増加することができる。したがって、重合性化合物（ａ）１分子中にビニル基を２個以上有することが好ましく、４個以上有することがより好ましく、６個以上有することが特に好ましい。
【００３７】
また、前記のように、１級または２級のアミノ基を反応性官能基として有するアミノ基を有するデンドリマー（ａ１）またはポリエチレンイミン（ａ２）と、イソシアナト基を有する化合物（ａ３）を反応させる場合、反応により補助触媒として作用し得るウレア結合を生成することができる。この場合のアミノ基を有するデンドリマー（ａ１）またはポリエチレンイミン（ａ２）中に含まれる１級または２級のアミノ基と、化合物（ａ３）中に含まれるイソシアナト基の相対比率、１：１／８〜１：１の範囲にあることが好ましく、１：１／４〜１：１／２の範囲にあることが特に好ましい。
【００３８】
前記重合体（ＰＡ）中のアミノ基含有量は、０．０１０ｍｍｏｌ／ｇ〜９．００ｍｍｏｌ／ｇの範囲にあることが好ましく、０．１０ｍｍｏｌ／ｇ〜９．００ｍｍｏｌ／ｇの範囲にあることが特に好ましい。なお、重合体（ＰＡ）中のアミノ基としては、１級、２級、３級のアミノ基いずれであっても良い。
【００３９】
本発明の有機ポリマーゲルは、膜状の形態をとることもできる。その場合、有機ポリマーゲルの厚さは、１〜１００μｍの範囲が好ましく、３〜５０μｍの範囲が特に好ましい。有機ポリマーゲルの厚さが１μｍよりも薄い場合、触媒として用いる場合、その性能が低下する傾向にあるので好ましくない。
【００４０】
［有機ポリマーゲルの製造方法］
本発明の有機ポリマーゲルは、アミノ基及びビニル基を有する重合性化合物（ａ）を含む重合性組成物（Ａ）と、該重合性組成物（Ａ）と相溶し、該重合性組成物（Ａ）の重合体（ＰＡ）を膨潤させる溶剤（Ｍ）とを混合した有機ポリマーゲル形成用組成物（Ｘ）を重合させることにより製造することができる。
【００４１】
この方法では、ポリマー形成用組成物（Ｘ）中、重合性組成物（Ａ）の重合により生成したポリマーが、溶剤（Ｍ）により膨潤され、溶剤（Ｍ）を含んだ有機ポリマーゲルを形成できる。
【００４２】
重合性組成物（Ａ）は、アミノ基及びビニル基を有する重合性化合物（ａ）のみを以て構成するか、または、該重合性化合物（ａ）とともに、該重合性化合物（ａ）と共重合体を形成しうる他の重合性化合物（ａ）を含有して構成する。アミノ基及びビニル基を有する重合性化合物（ａ）は単独で、または、２種類以上を混合して用いることができる。アミノ基及びビニル基を有する重合性化合物（ａ）としては、前記の、デンドリマー（ａ１）またはポリエチレンイミン（ａ２）と、これらに含まれる反応性官能基と反応可能な化合物（ａ３）とを反応して得た重合性化合物（ａ）として説明した重合性化合物（ａ）等を用いることができる。
【００４３】
アミノ基及びビニル基を有する重合性化合物（ａ）と共重合体を形成しうる他の重合性化合物としては、重合開始剤の存在下または非存在下で重合するものであり、ビニル基を有するものが好ましく、なかでも、反応性の高い（メタ）アクリル系化合物やスチリル化合物が好ましい。また、重合して架橋重合体を形成する化合物であることが好ましい。そのために、１分子中に２つ以上のビニル基を有する化合物であることが特に好ましい。
【００４４】
前記（メタ）アクリル系化合物としては、例えばエチレングリコールジ（メタ）アクリレート、ジエチレングリコールジ（メタ）アクリレート、ネオペンチルグリコールジ（メタ）アクリレート、１，６−ヘキサンジオールジ（メタ）アクリレート、２，２′−ビス（４−（メタ）アクリロイルオキシポリエチレンオキシフェニル）プロパン、２，２′−ビス（４−（メタ）アクリロイルオキシポリプロピレンオキシフェニル）プロパン、ヒドロキシジピバリン酸ネオペンチルグリコールジ（メタ）アクリレート、ジシクロペンタニルジアクリレート、ビス（アクロキシエチル）ヒドロキシエチルイソシアヌレート、Ｎ−メチレンビスアクリルアミドなどの２官能モノマー；トリメチロールプロパントリ（メタ）アクリレート、トリメチロールエタントリ（メタ）アクリレート、トリス（アクロキシエチル）イソシアヌレート、カプロラクトン変性トリス（アクロキシエチル）イソシアヌレートなどの３官能モノマー；ペンタエリスリトールテトラ（メタ）アクリレートなどの４官能モノマー；ジペンタエリスリトールヘキサ（メタ）アクリレートなどの６官能モノマーが挙げられる。
【００４５】
分子鎖に（メタ）アクリロイル基を有する重合性のオリゴマーとしては、重量平均分子量が５００〜５０，０００のものが挙げられ、例えば、エポキシ樹脂の（メタ）アクリル酸エステル、ポリエーテル樹脂の（メタ）アクリル酸エステル、ポリブタジエン樹脂の（メタ）アクリル酸エステル、分子末端に（メタ）アクリロイル基を有するポリウレタン樹脂などが挙げられる。
【００４６】
スチリル化合物としては、１，３−ジビニルベンゼンや１，３−ジプロペニルベンゼン等が挙げられる。
【００４７】
これら重合性化合物は、単独で、又は、２種類以上を混合して用いることもできる。また、粘度の調節を行う目的で、ビニル基を１つ有する重合性化合物、特に、ビニル基を１つ有する（メタ）アクリル化合物やスチリル化合物などと混合して使用してもよい。
【００４８】
ビニル基を１つ有する（メタ）アクリル系化合物としては、例えば、メチル（メタ）アクリレート、アルキル（メタ）アクリレート、イソボルニル（メタ）アクリレート、アルコキシポリエチレングリコール（メタ）アクリレート、フェノキシジアルキル（メタ）アクリレート、フェノキシポリエチレングリコール（メタ）アクリレート、アルキルフェノキシポリエチレングリコール（メタ）アクリレート、ノニルフェノキシポリプロピレングリコール（メタ）アクリレート、ヒドロキシアルキル（メタ）アクリレート、グリセロールアクリレートメタクリレート、ブタンジオールモノ（メタ）アクリレート、２−ヒドロキシ−３−フェノキシプロピルアクリレート、２−アクリロイルオキシエチル−２−ヒドロキシプロピルアクリレート、エチレンオキサイド変性フタル酸アクリレート、ｗ−カルボキシカプロラクトンモノアクリレート、２−アクリロイルオキシプロピルハイドロジェンフタレート、２−アクリロイルオキシエチルコハク酸、アクリル酸ダイマー、２−アクリロイルオキシプロピルヘキサヒドロハイドロジェンフタレート、フッ素置換アルキル（メタ）アクリレート、塩素置換アルキル（メタ）アクリレート、スルホン酸ソーダエトキシ（メタ）アクリレート、スルホン酸−２−メチルプロパン−２−アクリルアミド、燐酸エステル基含有（メタ）アクリレート、グリシジル（メタ）アクリレート、２−イソシアナトエチル（メタ）アクリレート、（メタ）アクリロイルクロライド、（メタ）アクリルアルデヒド、スルホン酸エステル基含有（メタ）アクリレート、シラノ基含有（メタ）アクリレート、（（ジ）アルキル）アミノ基含有（メタ）アクリレート、４級（（ジ）アルキル）アンモニウム基含有（メタ）アクリレート、（Ｎ−アルキル）アクリルアミド、（Ｎ、Ｎ−ジアルキル）アクリルアミド、アクリロイルモルホリンなどが挙げられる。
【００４９】
ビニル基を１つ有するスチリル化合物としては、スチレン、プロペニルベンゼン、１−ビニルナフタレン、および９−ビニルアントラセン等が挙げられる。
【００５０】
溶剤（Ｍ）としては、重合性組成物（Ａ）と相溶し、重合性組成物（Ａ）の重合体を膨潤させるものを使用する。溶剤（Ｍ）と重合性組成物（Ａ）との相溶の程度は、均一な有機ポリマーゲル形成用組成物（Ｘ）が得られればよい。溶剤（Ｍ）は、単一溶剤であっても混合溶剤であってもよく、混合溶剤の場合には、その構成成分単独では重合性組成物（Ａ）と相溶しないものや、重合性組成物（Ａ）の重合体を膨潤させないものであってもよい。このような溶剤（Ｍ）としては、例えば、酢酸エチル、デカン酸メチル、ラウリル酸メチル、アジピン酸ジイソブチルなどの脂肪酸のアルキルエステル類、アセトン、２−ブタノン、イソブチルメチルケトン、ジイソブチルケトンなどのケトン類、ジエチルエーテル、テトラヒドロフラン、１，４−ジオキサン、エチレングリコールジメチルエーテル、ジエチレングリコールジメチルエーテル、トリエチレングリコールジメチルエーテルなどのエーテル類、Ｎ，Ｎ−ジメチルホルムアミド、Ｎ，Ｎ−ジメチルアセトアミド、ジメチルスルホキシド、Ｎ−メチルピロリドンなどの非プロトン性極性溶剤、ベンゼン、トルエンなどの芳香族炭化水素類、ヘキサン、オクタンなどの脂肪族炭化水素類、ジクロロメタン、クロロホルム、四塩化炭素などのハロゲン化炭化水素類、メタノール、エタノール、２−プロパノール、１−ブタノール、１，１−ジメチル−１−エタノール、ヘキサノール、デカノールなどのアルコール類、および、水などの溶剤が挙げられる。このような溶剤の中でも、単一溶剤として用いる場合は、Ｎ，Ｎ−ジメチルホルムアミド、Ｎ，Ｎ−ジメチルアセトアミド、ジメチルスルホキシド、Ｎ−メチルピロリドンなどの非プロトン性極性溶剤や、メタノール、エタノール、２−プロパノール、１，１−ジメチル−１−エタノールなどの高極性のアルコール類が、前記重合性化合物（ａ）を含む重合性組成物（Ａ）と相溶しやすいため、好ましく用いられる。また、重合性組成物（Ａ）中の重合性化合物（ａ）以外の重合性化合物として、水溶性の重合性化合物を用いる場合は、前記の溶剤の中で、アセトン、テトラヒドロフラン、１，４−ジオキサン、Ｎ，Ｎ−ジメチルホルムアミド、Ｎ，Ｎ−ジメチルアセトアミド、メタノール、エタノール、２−プロパノールなどの水溶性溶剤と水との混合物が好ましく用いられる。
【００５１】
有機ポリマーゲル形成用組成物（Ｘ）に含まれる重合性組成物（Ａ）の含有量によって、得られるポリマーの溶剤による膨潤されやすさが変化する。重合性組成物（Ａ）の含有量が多いほど、ポリマーは膨潤されにくくなる傾向にある。重合性組成物（Ａ）の好ましい含有量としては１〜５０質量％の範囲、更に好ましくは３〜３０質量％の範囲が挙げられる。
【００５２】
有機ポリマーゲル形成用組成物（Ｘ）には、重合速度や重合度などを調整するために、重合開始剤、重合禁止剤、あるいは、重合遅延剤などの各種添加剤を添加してもよい。
【００５３】
重合開始剤としては、重合性組成物（Ａ）を重合させることが可能なものであれば、特に制限はなく、ラジカル重合開始剤、アニオン重合開始剤、カチオン重合開始剤などが使用できる。例えば、２，２’−アゾビスブチロニトリル、２，２’−アゾビスシクロヘキサンカルボニトリル、１，１’−アゾビス（シクロヘキサン−１−カルボニトリル）、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、４，４’−アゾビス（４−シアノ吉草酸）、２，２’−アゾビスイソ酪酸ジメチル、２，２’−アゾビス（２−メチルプロピオンアミドキシム）、２，２’−アゾビス（２−（２−イミダゾリン−２−イル）プロパン）、２，２’−アゾビス（２，４，４−トリメチルペンタン）などのアゾ系開始剤、過酸化ベンゾイル、過酸化ジ−ｔ−ブチル、ｔ−ブチルヒドロペルオキシド、クメンヒドロペルオキシドなどの過酸化物系開始剤が挙げられる。また、活性エネルギー線の作用により機能する重合開始剤として、ｐ−ｔｅｒｔ−ブチルトリクロロアセトフェノン、２，２′−ジエトキシアセトフェノン、２−ヒドロキシ−２−メチル−１−フェニルプロパン−１−オンなどのアセトフェノン類、ベンゾフェノン、４，４′−ビスジメチルアミノベンゾフェノン、２−クロロチオキサントン、２−メチルチオキサントン、２−エチルチオキサントン、２−イソプロピルチオキサントンなどのケトン類、ベンゾイン、ベンゾインメチルエーテル、ベンゾインイソプロピルエーテル、ベンゾインイソブチルエーテルなどのベンゾインエーテル類、ベンジルジメチルケタール、ヒドロキシシクロヘキシルフェニルケトンなどのベンジルケタール類、Ｎ−アジドスルフォニルフェニルマレイミドなどのアジドが挙げられる。また、マレイミド系化合物などの重合性光重合開始剤を使用することもできる。また、テトラエチルチイラムジスルフィドなどのジスルフィド系開始剤、２，２，６，６−テトラメチルピペリジン−１−オキシルなどのニトロキシド開始剤、４，４’−ジ−ｔ−ブチル−２，２’−ビピリジン銅錯体−トリクロロ酢酸メチル複合体、ベンジルジエチルジチオカルバメートなどのリビングラジカル重合開始剤を用いることもできる。
【００５４】
重合遅延剤や重合禁止剤は、主に、活性エネルギー線による重合の際に用いることができ、α−メチルスチレン、２，４−ジフェニル−４−メチル−１−ペンテンなどの重合速度の低いビニル系モノマーやｔｅｒｔ−ブチルフェノールなどのヒンダントフェノール類などが挙げられる。
【００５５】
重合反応は、熱重合法、及び、紫外線や電子線などの照射により行う活性エネルギー線重合法など公知慣用の方法でよい。たとえば、前記した熱重合開始剤とともに４０〜１００℃、好ましくは６０〜８０℃で１０分〜７２時間、好ましくは６〜２４時間反応させることにより、有機ポリマーゲルを製造することができる。また、各種水銀ランプやメタルハライドランプを用い、２５０〜３０００Ｗの出力において、室温で、１秒〜２時間、好ましくは１０秒〜３０分反応させることにより、有機ポリマーゲルを製造することができる。
【００５６】
また、膜状の形態を有する有機ポリマーゲルの場合、塗工性、平滑性などを向上させる目的で、公知慣用の界面活性剤、増粘剤、改質剤、触媒などを添加することもできる。
【００５７】
膜状の形態を有する有機ポリマーゲルを製造する際に使用できる支持体は、有機ポリマーゲル形成用組成物（Ｘ）によって実質的に侵されず、例えば、溶解、分解などが生じず、かつ、有機ポリマーゲル形成用組成物（Ｘ）を実質的に侵さないものであればよい。そのような支持体としては、例えば、樹脂、ガラスや石英などの結晶、セラミック、シリコンなどの半導体、金属などが挙げられるが、これらの中でも、透明性が高いこと、および、安価であることより、樹脂、または、ガラスが好ましい。支持体に使用する樹脂は、単独重合体であっても、共重合体であっても良く、熱可塑性重合体であっても、熱硬化性重合体であっても良い。また、支持体は、ポリマーブレンドやポリマーアロイで構成されていても良いし、積層体その他の複合体であっても良い。更に、支持体は、改質剤、着色剤、充填材、強化材などの添加物を含有しても良い。
【００５８】
支持体の形状は特に限定されず、使用目的に応じて任意の形状のものを使用できる。例えば、シート状（フィルム状、リボン状、ベルト状を含む）、板状、ロール状、球状などの形状が挙げられるが、有機ポリマーゲル形成用組成物（Ｘ）をその上に塗布し易いという観点から、塗工面が平面状または２次曲面状の形状であることが好ましい。
【００５９】
支持体はまた、樹脂の場合もそれ以外の素材の場合も、表面処理されていて良い。表面処理は、有機ポリマーゲル形成用組成物（Ｘ）による支持体の溶解防止を目的としたもの、有機ポリマーゲル形成用組成物（Ｘ）の濡れ性向上及び有機ポリマーゲルの接着性向上を目的としたものなどが挙げられる。
【００６０】
支持体の表面処理方法は任意であり、例えば、任意の重合性組成物を支持体の表面に塗布し、重合反応により硬化させる処理、コロナ処理、プラズマ処理、火炎処理、酸又はアルカリ処理、スルホン化処理、フッ素化処理、シランカップリング剤等によるプライマー処理、表面グラフト重合、界面活性剤や離型剤等の塗布、ラビングやサンドブラストなどの物理的処理などが挙げられる。また、有機ポリマーゲルの素材が有する反応性官能基や前記の表面処理方法によって導入された反応性官能基と反応して表面に固定される化合物を反応させる方法が挙げられる。この中で、支持体としてガラス、または、石英を用いた場合、例えば、トリメトキシシリルプロピル（メタ）アクリレートやトリエトキシシリルプロピル（メタ）アクリレート等のシランカップリング剤によって処理する方法は、これらのシランカップリング剤の有する重合基が有機ポリマーゲル形成用組成物（Ｘ）と共重合できることより、有機ポリマーゲルの支持体上への接着性を向上させる上で有用である。
【００６１】
有機ポリマーゲル形成用組成物（Ｘ）の支持体への塗布方法は公知慣用の方法であればいずれの方法でも良く、例えば、コーターや噴霧等による塗布方法が好ましく挙げられる。
【００６２】
以上、有機ポリマーゲルの製造に関して説明したが、本発明で用いることができる有機ポリマーゲルの製造方法は前記の例示に限定されるものではない。
【００６３】
［有機ポリマーゲルを用いた触媒反応］
本発明の有機ポリマーゲルを用いた触媒反応について説明する。
本発明の有機ポリマーゲルは、アミノ基及びビニル基を有する重合性化合物（ａ）の重合体を含む有機ポリマーゲルであるため、アミノ基の関与する触媒反応に対して用いることができる。中でも、アミノ基を塩基として利用する触媒反応に用いることが好ましく、特に、塩基触媒としてアルデヒド類またはケトン類の求核付加反応において使用することが好ましい。好ましい反応の例として、アルドール（Aldol）反応、クナベナゲル（Knoevenagel）反応、ヘンリー（Henry）（ニトロアルドール（Nitroaldol））反応、シアノシリル化反応等が挙げられる。
【００６４】
有機ポリマーゲルを触媒反応に用いる際は、反応原料を溶剤に溶解、または分散させ、有機ポリマーゲルと不均一系で接触させるだけでよい。必要に応じて、補助触媒や添加剤を共存させることができる。反応に用いる溶剤は、反応の種類に応じて、適宜、水、有機溶剤、およびそれらの混合溶剤を選択することができる。ただし、ポリマーを膨潤させることのできる溶剤を選択すれば、より効率の高い触媒反応を行うことができる。
【００６５】
本発明の有機ポリマーゲルは、繰り返しの使用安定性に優れた触媒を提供することができる。ここで言う使用安定性に優れた触媒とは、８０℃、２４時間での触媒試験において、触媒能力に変化なく、５回以上繰り返し使用可能であることを指し、好ましくは、同条件において、１０回以上繰り返し使用可能であることを指す。
【実施例】
【００６６】
以下、実施例を用いて本発明を更に詳しく説明するが、本発明は、以下の実施例の範囲に限定されるものではない。
【００６７】
（実施例１）
〔重合性化合物（ａ）の合成〕
反応性官能基として１級アミノ基を有する第４世代（Ｇ４）ポリアミドアミン（ＰＡＭＡＭ）デンドリマー（１０質量％メタノール溶液、アルドリッチ社製、分子量：１４２１４．４、製品コード：４１２４４９）５７０ｍｇ（４．０μｍｏｌ、末端１級アミン当量：２．６０ｘ１０２μｍｏｌ）に、２−イソシアナトエチルメタクリレート（昭和電工製、製品名：カレンズＭＯＩ）４０ｍｇ (２．５６ｘ１０２μｍｏｌ）を加え、マグネチックスターラーを用い、室温で１日撹拌した。その後、溶媒を留去し、目的の重合性化合物（ａ）［ａ−１］を得た。重合性化合物［ａ−１］は、分子中に６２個の３級アミノ基、及び、６４個のビニル基を有する。
１Ｈ−ＮＭＲ（３００ＭＨｚ、ＣＤ３ＯＤ）：δ／ｐｐｍ  １．９２，２．３５−２．３７，２．５７−２．５９，２．７８−２．８０，３．２５−３．３５，３．４２，４．１６，５．６３（ビニル基），６．１１（ビニル基）．
【００６８】
〔有機ポリマーゲルの調製〕
重合性化合物（ａ）［ａ−１］９７ｍｇ、メタクリル酸メチル（以下、「ＭＭＡ」と略す。）９７０ｍｇ、重合開始剤として、アゾビスイソブチロニトリル（以下、「ＡＩＢＮ」と略す。）３ｍｇ、およびＮ，Ｎ−ジメチルホルムアミド（以下、「ＤＭＦ」と略す。）２．５ｍＬを混合し、有機ポリマーゲル形成用組成物［Ｘ−１］を調製した。
【００６９】
次に、組成物［Ｘ−１］を重合チューブ中に仕込み、窒素ガスを３０分間吹き込んだ後、密栓し、７０℃で１２時間加熱処理を施すことにより、白色の有機ポリマーゲル［Ｐ−１］を調製した。
収量：１．０２ｇ、収率：９５％（乾燥状態）．
アミノ基含有量：０．２４ｍｍｏｌ／ｇ（３級アミノ基）．
【００７０】
〔有機ポリマーゲルを用いた触媒反応試験〕
マロノニトリル０．７２ｍｍｏｌ、ベンズアルデヒド０．６０ｍｍｏｌ、及び、ＤＭＦ２ｍＬを均一に混合して反応溶液（Ｙ１）を調製した。これに、前記の有機ポリマーゲル［Ｐ−１］を、５０℃にて、６時間減圧乾燥して得た乾燥ポリマー２５ｍｇ（アミン当量：５．８８μｍｏｌ）を加え、膨潤後、室温で３時間、反応させた。ガスクロマトグラフィによる分析の結果、９８％以上の反応率で、目的物のベンザルマロノニトリルが生成したことが確認された。
【００７１】
反応溶液に水を加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００７２】
（実施例２）
〔重合性化合物（ａ）の合成〕
実施例１と同様にして、重合性化合物（ａ）［ａ−１］を得た。
〔有機ポリマーゲルの調製〕
重合性化合物（ａ）［ａ−１］１９４ｍｇ、ＡＩＢＮ６ｍｇ、およびＤＭＦ１．６ｍＬを混合し、有機ポリマーゲル形成用組成物［Ｘ−２］を調製した。
次に、組成物［Ｘ−２］を重合チューブ中に仕込み、窒素ガスを３０分間吹き込んだ後、密栓し、７０℃で１２時間加熱処理を施すことにより、白色の有機ポリマーゲル［Ｐ−２］を調製した。
収量：１８８ｍｇ、収率：９４％（乾燥状態）．
アミノ基含有量：０．２５ｍｍｏｌ／ｇ（３級アミノ基）．
【００７３】
〔有機ポリマーゲルを用いた触媒反応試験〕
実施例１と同様にして、反応溶液（Ｙ１）に、前記の有機ポリマーゲル［Ｐ−２］を、５０℃にて、６時間減圧乾燥して得た乾燥ポリマー５．０ｍｇ（アミン当量：１２．６μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液に水を加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００７４】
（実施例３）
〔重合性化合物（ａ）の合成〕
２−イソシアナトエチルメタクリレートを４０ｍｇ (２．５６ｘ１０２μｍｏｌ）用いる代わりに、１０ｍｇ (６４．４μｍｏｌ）用いる以外は、実施例１と同様にして、重合性化合物（ａ）［ａ−２］を得た。重合性化合物［ａ−２］は、分子中に６２個の３級アミノ基、４８個の１級アミノ基、及び、１６個のビニル基を有する。
【００７５】
１Ｈ−ＮＭＲ（３００ＭＨｚ、ＣＤ３ＯＤ）：δ／ｐｐｍ  １．９１−１．９５，２．３５−２．３７，２．５７−２．５９，２．７８−２．８０，３．２５−３．３５，３．４２，４．１６，５．６２−５．６６（ビニル基），６．０１−６．１４（ビニル基）．
【００７６】
〔有機ポリマーゲルの調製〕
重合性化合物（ａ）［ａ−２］１３４ｍｇ、ＭＭＡ１．３４ｇ、ＡＩＢＮ１８ｍｇ、およびＤＭＦ５．５ｍＬを混合し、有機ポリマーゲル形成用組成物［Ｘ−３］を調製した。
次に、組成物［Ｘ−３］を重合チューブ中に仕込み、窒素ガスを３０分間吹き込んだ後、密栓し、７０℃で１２時間加熱処理を施すことにより、白色の有機ポリマーゲル［Ｐ−３］を調製した。
収量：１．４５ｇ、収率：９７％（乾燥状態）．
アミノ基含有量：０．３４ｍｍｏｌ／ｇ（３級アミノ基）、０．２６ｍｍｏｌ／ｇ（１級アミノ基）．
【００７７】
〔有機ポリマーゲルを用いた触媒反応試験〕
実施例１と同様にして、反応溶液（Ｙ１）に、前記の有機ポリマーゲル［Ｐ−３］を、５０℃にて、６時間減圧乾燥して得た乾燥ポリマー２０ｍｇ（アミン当量：１２．０μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液に水を加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００７８】
（実施例４）
〔重合性化合物（ａ）の合成〕
２−イソシアナトエチルメタクリレートを、４０ｍｇ (２．５６ｘ１０２μｍｏｌ）用いる代わりに、５．０ｍｇ (３２．２μｍｏｌ）用いる以外は、実施例１と同様にして、重合性化合物（ａ）［ａ−３］を得た。重合性化合物［ａ−３］は、分子中に６２個の３級アミノ基、５６個の１級アミノ基、及び、８個のビニル基を有する。
１Ｈ−ＮＭＲ（３００ＭＨｚ、ＣＤ３ＯＤ）：δ／ｐｐｍ  １．９１−１．９５，２．３５−２．３９，２．５８−２．６０，２．７０−２．８１，３．２３−３．３５，３．４２，３．５５−３．６０，４．１６，５．６２−５．６５（ビニル基），６．０７−６．１１（ビニル基）．
【００７９】
〔有機ポリマーゲルの調製〕
重合性化合物（ａ）［ａ−３］１２４ｍｇ、ＭＭＡ１．２４ｇ、ＡＩＢＮ１７ｍｇ、およびＤＭＦ５．１ｍＬを混合し、有機ポリマーゲル形成用組成物［Ｘ−４］を調製した。
次に、組成物［Ｘ−４］を重合チューブ中に仕込み、窒素ガスを３０分間吹き込んだ後、密栓し、７０℃で１２時間加熱処理を施すことにより、白色の有機ポリマーゲル［Ｐ−４］を調製した。
収量：１．３３ｇ、収率：９６％（乾燥状態）．
アミノ基含有量：０．３６ｍｍｏｌ／ｇ（３級アミノ基）、０．３３ｍｍｏｌ／ｇ（１級アミノ基）．
【００８０】
〔有機ポリマーゲルを用いた触媒反応試験〕
実施例１と同様にして、反応溶液（Ｙ１）に、前記の有機ポリマーゲル［Ｐ−４］を、５０℃にて、６時間減圧乾燥して得た乾燥ポリマー２０ｍｇ（アミン当量：１３．９μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液に水を加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００８１】
（実施例５）
〔重合性化合物（ａ）の合成〕
反応性官能基として水酸基を有する第４世代（Ｇ４）ポリアミドアミン（ＰＡＭＡＭ）デンドリマー（１０質量％メタノール溶液、アルドリッチ社製、分子量：１４２７７．４、製品コード：４７７８５０）５７０ｍｇ（４．０μｍｏｌ、末端１級アミン当量：２．６０ｘ１０２μｍｏｌ）に、２−イソシアナトエチルメタクリレート４０ｍｇ (２．５６ｘ１０２μｍｏｌ）を加え、マグネチックスターラーを用い、室温で１日撹拌した。その後、溶媒を留去し、目的の重合性化合物（ａ）［ａ−４］を得た。重合性化合物［ａ−４］は、分子中に６２個の３級アミノ基、及び、６４個のビニル基を有する。
１Ｈ−ＮＭＲ（３００ＭＨｚ、ＣＤ３ＯＤ）：δ／ｐｐｍ  １．９３，２．３６−２．４０，２．５９−２．６１，２．７７−２．８１，３．２８−３．４１，３．６２，４．１７，５．６２（ビニル基），６．１１（ビニル基）．
【００８２】
〔有機ポリマーゲルの調製〕
重合性化合物（ａ）［ａ−４］９７ｍｇ、ＭＭＡ９７０ｍｇ、ＡＩＢＮ３ｍｇ、およびＤＭＦ２．５ｍＬを混合し、有機ポリマーゲル形成用組成物［Ｘ−５］を調製した。
次に、組成物［Ｘ−５］を重合チューブ中に仕込み、窒素ガスを３０分間吹き込んだ後、密栓し、７０℃で１２時間加熱処理を施すことにより、白色の有機ポリマーゲル［Ｐ−５］を調製した。
収量：１．０４ｇ、収率：９７％（乾燥状態）．
アミノ基含有量：０．２４ｍｍｏｌ／ｇ（３級アミノ基）．
【００８３】
〔有機ポリマーゲルを用いた触媒反応試験〕
実施例１と同様にして、反応溶液（Ｙ１）に、前記の有機ポリマーゲル［Ｐ−５］を、５０℃にて、６時間減圧乾燥して得た乾燥ポリマー３０ｍｇ（アミン当量：７．０５μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液に水を加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００８４】
（実施例６）
〔重合性化合物（ａ）の合成〕
２−イソシアナトエチルメタクリレートを４０ｍｇ (２．５６ｘ１０２μｍｏｌ）用いる代わりに、グリシジルメタクリレートを３６ｍｇ (２．５６ｘ１０２μｍｏｌ）用いる以外は、実施例１と同様にして、重合性化合物（ａ）［ａ−５］を得た。重合性化合物［ａ−５］は、分子中に６２個の３級アミノ基、及び、６４個のビニル基を有する。
１Ｈ−ＮＭＲ（３００ＭＨｚ、ＣＤ３ＯＤ）：δ／ｐｐｍ  １．９２，２．３５−２．３７，２．５７−２．５９，２．７８−２．８０，３．２５−３．３５，３．４２，４．１６，５．６３（ビニル基），６．１１（ビニル基）．
【００８５】
〔有機ポリマーゲルの調製〕
重合性化合物（ａ）［ａ−５］９３ｍｇ、ＭＭＡ９３０ｍｇ、ＡＩＢＮ１２ｍｇ、およびＤＭＦ４．０ｍＬを混合し、有機ポリマーゲル形成用組成物［Ｘ−６］を調製した。
次に、組成物［Ｘ−６］を重合チューブ中に仕込み、窒素ガスを３０分間吹き込んだ後、密栓し、７０℃で１２時間加熱処理を施すことにより、白色の有機ポリマーゲル［Ｐ−６］を調製した。
収量：１．００ｇ、収率：９７％（乾燥状態）．
アミノ基含有量：０．２５ｍｍｏｌ／ｇ（３級アミノ基）．
【００８６】
〔有機ポリマーゲルを用いた触媒反応試験〕
実施例１と同様にして、反応溶液（Ｙ１）に、前記の有機ポリマーゲル［Ｐ−６］を、５０℃にて、６時間減圧乾燥して得た乾燥ポリマー３０ｍｇ（アミン当量：７．５６μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液に水を加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００８７】
（実施例７）
〔重合性化合物（ａ）の合成〕
ポリエチレンイミン（ａ２）（平均分子量１０，０００、和光純薬製、製品コード：１６４−１７８２１）０．２０ｇ（１級アミン当量：１．１６ｍｍｏｌ、２級アミン当量：２．３３ｍｍｏｌ）に、２−イソシアナトエチルメタクリレート（昭和電工製、製品名：カレンズＭＯＩ）０．５４ｇ (３．４９ｍｍｏｌ）を加え、マグネチックスターラーを用い、室温で１日撹拌した。その後、溶媒を留去し、目的の重合性化合物（ａ）［ａ−６］を得た。重合性化合物［ａ−６］は、平均的に、分子中に５８個の３級アミノ基、及び、１７４個のビニル基を有する。
１Ｈ−ＮＭＲ（３００ＭＨｚ、ＣＤ３ＯＤ）：δ／ｐｐｍ  １．９２，２．６３，３．２２−３．４２，４．１５−４．２２，５．６２（ビニル基），６．１１（ビニル基）．
【００８８】
〔有機ポリマーゲルの調製〕
重合性化合物（ａ）［ａ−６］１５０ｍｇ、ＭＭＡ１．５０ｇ、ＡＩＢＮ１６ｍｇ、およびＤＭＦ６．０ｍＬを混合し、有機ポリマーゲル成用組成物［Ｘ−７］を調製した。
次に、組成物［Ｘ−７］を重合チューブ中に仕込み、窒素ガスを３０分間吹き込んだ後、密栓し、７０℃で１２時間加熱処理を施すことにより、白色の有機ポリマーゲル［Ｐ−７］を調製した。
収量：１．６２ｇ、収率：９７％（乾燥状態）．
アミノ基含有量：０．１４ｍｍｏｌ／ｇ（３級アミノ基）．
【００８９】
〔有機ポリマーゲルを用いた触媒反応試験〕
実施例１と同様にして、反応溶液（Ｙ１）に、前記の有機ポリマーゲル［Ｐ−７］を、５０℃にて、６時間減圧乾燥して得た乾燥ポリマー４５ｍｇ（アミン当量：６．３５μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液に水を加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００９０】
（実施例８）
〔重合性化合物（ａ）の合成〕
実施例１と同様にして、重合性化合物（ａ）［ａ−１］を得た。
〔有機ポリマーゲルの調製〕
重合性化合物（ａ）［ａ−１］１９４ｍｇ、ジメチルアクリルアミド（以下、「ＤＭＡＡ」と略す。）１．９４ｇ、ＡＩＢＮ６ｍｇ、およびＤＭＦ４．０ｍＬを混合し、有機ポリマーゲル形成用組成物［Ｘ−８］を調製した。
次に、組成物［Ｘ−８］を重合チューブ中に仕込み、窒素ガスを３０分間吹き込んだ後、密栓し、７０℃で１２時間加熱処理を施すことにより、白色の有機ポリマーゲル［Ｐ−８］を調製した。
収量：２．０５ｇ、収率：９６％（乾燥状態）．
アミノ基含有量：０．２４ｍｍｏｌ／ｇ（３級アミノ基）．
【００９１】
〔有機ポリマーゲルを用いた触媒反応試験〕
実施例１と同様にして、反応溶液（Ｙ１）に、前記の有機ポリマーゲル［Ｐ−８］を、５０℃にて、６時間減圧乾燥して得た乾燥ポリマー３０ｍｇ（アミン当量：７．０５μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液にトルエンを加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００９２】
（実施例９）
〔重合性化合物（ａ）の合成〕
実施例１と同様にして、重合性化合物（ａ）［ａ−１］を得た。
〔有機ポリマーゲルの調製〕
重合性化合物（ａ）［ａ−１］１９４ｍｇ、メトキシポリエチレングリコール＃４００メタクリレート（新中村化学工業製、製品名：ＮＫエステルＭ−９０Ｇ）１．９４ｇ、ＡＩＢＮ６ｍｇ、およびＤＭＦ４．０ｍＬを混合し、有機ポリマーゲル形成用組成物［Ｘ−９］を調製した。
次に、組成物［Ｘ−９］を重合チューブ中に仕込み、窒素ガスを３０分間吹き込んだ後、密栓し、７０℃で１２時間加熱処理を施すことにより、白色の有機ポリマーゲル［Ｐ−９］を調製した。
収量：２．０８ｇ、収率：９７％（乾燥状態）．
アミノ基含有量：０．２４ｍｍｏｌ／ｇ（３級アミノ基）．
【００９３】
〔有機ポリマーゲルを用いた触媒反応試験〕
実施例１と同様にして、反応溶液（Ｙ１）に、前記の有機ポリマーゲル［Ｐ−９］を、５０℃にて、６時間減圧乾燥して得た乾燥ポリマー３０ｍｇ（アミン当量：７．０５μｍｏｌ）を加え、膨潤後、室温で３時間、反応させた。ガスクロマトグラフィによる分析の結果、９８％以上の反応率で、目的物のベンザルマロノニトリルが生成したことが確認された。
反応溶液にトルエンを加え、析出したポリマーをろ過後、トルエン、およびジエチルエーテルで洗浄し、乾燥した後、前記と同様の触媒反応試験を５回繰り返し行った場合も、反応率が低下することなく、生成物が得られることが確認された。
【００９４】
（比較例１）
特許文献（特開２０００−６３５１３号公報）に記載の方法に従い、反応性官能基として１級アミノ基を有するポリプロピレンイミンデンドリマー（アルドリッチ社製、分子量：３１６、製品コード：４６０６９９）、２−ヒドロキシエチルアクリレート、２−イソシアナトエチルメタクリレート（原料組成：１／８／８（モル比））からなる重合性化合物を合成した（粘度：４．４Ｐａ・ｓ）。これを、ＡＩＢＮ（前記重合性化合物中のビニル基に対して、０．０１モル当量）と混合した後、重合チューブ中に仕込み、窒素ガスを３０分間吹き込んだ後、密栓し、７０℃で１２時間加熱処理を施すことにより、非ゲル状の無色透明のポリマー［ＣＰ−１］を調製した（アミノ基含有量：２．６０ｍｍｏｌ／ｇ）。
【００９５】
実施例１と同様にして、反応溶液（Ｙ１）に、前記ポリマー［ＣＰ−１］１０ｍｇ（アミン当量：２５．７μｍｏｌ）を加え、室温で３時間、反応させた。ガスクロマトグラフィによる分析の結果、３２％の反応率で、ベンザルマロノニトリルが生成したことが確認された。
反応溶液からポリマーをろ過後、トルエン、およびジエチルエーテルで洗浄した後、前記と同様の触媒反応試験を行った場合、２９％の反応率で、ベンザルマロノニトリルが生成したことが確認された。
以上の結果より、実施例１〜９に示した方法により得られた有機ポリマーゲルは、比較例１に示した方法により得られたポリマー［ＣＰ−１］と比べ、ベンズアルデヒドの求核付加反応に対して、優れた触媒であることは明らかである。
【００９６】
（比較例２）
反応性官能基として１級アミノ基を有する第４世代（Ｇ４）ポリアミドアミン（ＰＡＭＡＭ）デンドリマー（１０質量％メタノール溶液、アルドリッチ社製、分子量：１４２１４．４、製品コード：４１２４４９）５７０ｍｇから、メタノールを留去して、固体状のＧ４（ＰＡＭＡＭ）デンドリマー５７ｍｇを得た。
重合性化合物［ａ−１］９７ｍｇの代わりに、前記のＧ４（ＰＡＭＡＭ）デンドリマー５７ｍｇを用いる以外は実施例１と同様にして、ゲル状の比較ポリマー［ＣＰ−２］を調製した（収量：９８０ｍｇ（乾燥状態）、アミノ基含有量：０．２５ｍｍｏｌ／ｇ（３級アミノ基））。
【００９７】
実施例１と同様にして、反応溶液（Ｙ１）に、前記ポリマー［ＣＰ−２］２５ｍｇ（乾燥状態、アミン当量：５．９２μｍｏｌ）を加え、膨潤後、室温で３時間、反応させた。ガスクロマトグラフィによる分析の結果、９２％の反応率で、ベンザルマロノニトリルが生成したことが確認された。
反応溶液に水を加え、析出したポリマーをろ過後、トルエン、およびジエチルエーテルで洗浄し、乾燥した後、前記と同様の触媒反応試験を行った場合、１６％の反応率で、ベンザルマロノニトリルが生成したことが確認された。Ｇ４（ＰＡＭＡＭ）デンドリマーはビニル基を有していないため、ポリマー中へ共有結合による固定はできていない。したがって、１回目の触媒反応後の処理により、ポリマー外へ除去されたため、繰り返しの触媒反応性が低かったものと思われる。
以上の結果より、実施例１〜９に示した方法により得られた有機ポリマーゲルは、比較例２に示した方法により得られたゲル状ポリマー［ＣＰ−２］と比べ、ベンズアルデヒドの求核付加反応に対して、優れた触媒であることは明らかである。